(57)【要約】【課題】基地局と通信制御装置を備える移動通信システムにおいて、シグナリング数を削減しながら、ユーザ装置への着信を適切に行うことを可能とする。【解決手段】基地局と通信制御装置とを備える移動通信システムにおけるページング制御方法において、前記基地局と前記通信制御装置との間のコネクションが確立している状態において、当該基地局が当該通信制御装置から、ユーザ装置に対する下りデータを受信したときに、当該ユーザ装置に対するページング信号を送信する第１のページングステップと、前記基地局が、前記ユーザ装置から前記ページング信号に対する応答が無いことを検知した場合に、前記通信制御装置に対し、当該ユーザ装置へのページング信号送信を行うように要求する要求ステップとを備える。【選択図】図８
2018078629.tif 000002
【特許請求の範囲】
【請求項１】
基地局と通信制御装置とを備える移動通信システムにおけるページング制御方法であって、
前記基地局と前記通信制御装置との間のコネクションが確立している状態において、当該基地局が当該通信制御装置から、ユーザ装置に対する下りデータを受信したときに、当該ユーザ装置に対するページング信号を送信する第１のページングステップと、
前記基地局が、前記ユーザ装置から前記ページング信号に対する応答が無いことを検知した場合に、前記通信制御装置に対し、当該ユーザ装置へのページング信号送信を行うように要求する要求ステップと
を備えるページング制御方法。
【請求項２】
前記要求ステップにより前記要求を受けた前記通信制御装置が、前記ユーザ装置が接続される基地局を含む１つ又は複数の基地局に、前記ユーザ装置に対するページング信号を送信する第２のページングステップ
を更に備える請求項１に記載のページング制御方法。
【請求項３】
前記通信制御装置は、ＭＭＥとＳ−ＧＷを含む
請求項１又は２に記載のページング制御方法。
【請求項４】
基地局と通信制御装置とを備える移動通信システムにおける当該基地局であって、
前記基地局と前記通信制御装置との間のコネクションが確立している状態において、当該通信制御装置から、ユーザ装置に対する下りデータを受信したときに、当該ユーザ装置に対するページング信号を送信する送信手段と、
前記ユーザ装置から前記ページング信号に対する応答が無いことを検知した場合に、前記通信制御装置に対し、当該ユーザ装置へのページング信号送信を行うように要求する制御手段と
を備える基地局。
【発明の詳細な説明】
【技術分野】
【０００１】
本発明は、アイドル状態と接続状態との間の状態遷移を行うユーザ装置ＵＥに対し、当該ユーザ装置ＵＥへの着信を知らせるページング信号を送信する移動通信システムに関連するものである。
【背景技術】
【０００２】
ＬＴＥシステムにおいて、ユーザ装置ＵＥ（以下、ＵＥと記述する）における基地局ｅＮＢ（以下、ｅＮＢと記述する）との間の接続状態はＲＲＣ（Ｒａｄｉｏ  Ｒｅｓｏｕｒｃｅ  Ｃｏｎｔｒｏｌ）アイドル状態（ＲＲＣ＿Ｉｄｌｅ）と、ＲＲＣ接続状態（ＲＲＣ＿Ｃｏｎｎｅｃｔｅｄ）の２つで示される。
【０００３】
ＵＥがネットワークに接続する際に、コアネットワーク（コアＮＷ）側のＭＭＥ（Ｍｏｂｉｌｉｔｙ  Ｍａｎａｇｅｍｅｎｔ  Ｅｎｔｉｔｙ）によりＵＥコンテクストが生成され、当該ＵＥコンテクストはＵＥが接続するｅＮＢ及びＵＥに保持される。なお、ＵＥコンテクストは、ベアラ関連情報、セキュリティ関連情報等を含む情報である。
【０００４】
ＵＥがＲＲＣアイドル状態とＲＲＣ接続状態との間を遷移する際に、コアＮＷ側も含めた呼制御のシグナリングが多く発生するため、シグナリングを如何にして削減するかが課題となっている。
【０００５】
例えば、ＵＥをＲＲＣ接続状態からＲＲＣアイドル状態に遷移させる際には、図１に示すようなシグナリングが発生する（非特許文献１等）。図１のケースは、ｅＮＢ２が、ＵＥ１の通信が所定時間発生しないことを検知し、ＵＥ１との接続を切断して、ＲＲＣアイドル状態に遷移させるようなケースである。
【０００６】
図１において、ｅＮＢ２が、ＵＥコンテクスト解放要求（ＵＥ  Ｃｏｎｔｅｘｔ  Ｒｅｌｅａｓｅ  Ｒｅｑｕｅｓｔ）をＭＭＥ３に送信する（ステップ１）。ＭＭＥ３は、ベアラ解放要求（Ｒｅｌｅａｓｅ  Ａｃｃｅｓｓ  Ｂｅａｒｅｒｓ  Ｒｅｑｕｅｓｔ）をＳ−ＧＷ４に送信し（ステップ２）、Ｓ−ＧＷ４はベアラ解放応答（Ｒｅｌｅａｓｅ  Ａｃｃｅｓｓ  Ｂｅａｒｅｒｓ  Ｒｅｓｐｏｎｓｅ）をＭＭＥ３に返す（ステップ３）。
【０００７】
ＭＭＥ３は、ＵＥコンテクスト解放指示（ＵＥ  Ｃｏｎｔｅｘｔ  Ｒｅｌｅａｓｅ  Ｃｏｍｍａｎｄ）をｅＮＢ２に送信する（ステップ４）。ｅＮＢ２は、ＲＲＣ接続解放（ＲＲＣ  Ｃｏｎｎｅｃｔｉｏｎ  Ｒｅｌｅａｓｅ）をＵＥ１に送信し（ステップ５）、ＵＥ１をＲＲＣアイドル状態に遷移させる。また、ｅＮＢ２はＵＥコンテクストを解放し、ＵＥコンテクスト解放完了（ＵＥ  Ｃｏｎｔｅｘｔ  Ｒｅｌｅａｓｅ  Ｃｏｍｐｌｅｔｅ）をＭＭＥ３に送信する（ステップ６）。
【先行技術文献】
【非特許文献】
【０００８】
【非特許文献１】3GPP TS 36.413 V12.4.0 (2014-12)
【非特許文献２】3GPP TSG RAN Meeting #66    RP-142030 Maui, USA, 8th - 11th December 2014
【発明の概要】
【発明が解決しようとする課題】
【０００９】
ＵＥがＲＲＣアイドル状態とＲＲＣ接続状態との間を遷移する際のシグナリングを削減するために、ＵＥが同一ｅＮＢ内でＲＲＣ接続状態‐＞ＲＲＣアイドル状態−＞ＲＲＣ接続状態と遷移する場合に、ＵＥコンテクストをｅＮＢで保持したままにしておき、再利用する方法が検討され始めている（非特許文献２）。当該方法において考えられる手順の例を図２を参照して説明する。
【００１０】
図２の（ａ）に示す状態は、ＵＥ１がＲＲＣ接続状態にあり、コアＮＷ側において、当該ＵＥ１に係るＳ１−ＣのコネクションとＳ１−Ｕのコネクション（図ではＳ１‐Ｃ／Ｕ）が確立されている状態である。なお、Ｓ１−Ｃのコネクションは、Ｃ−ｐｌａｎｅ信号を送るＳ１コネクションであり、Ｓ１−ＵのコネクションはＵ−ｐｌａｎｅを通すＳ１コネクションである。
【００１１】
（ａ）に示す状態から、（ｂ）、（ｃ）に示すように、ＲＲＣ接続解放（ＲＲＣ  Ｃｏｎｎｅｃｔｉｏｎ  Ｒｅｌｅａｓｅ）によりＵＥ１がＲＲＣアイドル状態に遷移される。このとき、ｅＮＢ２におけるＵＥ１に対するＵＥコンテクストは保持されたままであり、ＵＥ１に対するＳ１‐Ｃ／Ｕコネクションも維持されたままである。そして、（ｄ）に示すように、ＵＥ１がＲＲＣ接続状態に遷移する際に、ＲＲＣコネクション確立信号でｅＮＢ２は保持しておいたＵＥコンテクストをＵＥ１に通知する。このように、ＵＥコンテクストを再利用することで、シグナリングを削減できる。
【００１２】
しかし、ＵＥがＲＲＣアイドル状態になる場合でもｅＮＢでＵＥコンテクストを保持しておく上記の方法では、ＵＥがアイドル中にＵＥコンテクストを保存したｅＮＢの圏内から、他のｅＮＢの圏内に移動してしまうと、当該ＵＥは着信を受けられなくなるという問題がある。
【００１３】
すなわち、図３に示すように、ｅＮＢ‐ＡがＵＥコンテクストを保持しており、ｅＮＢ−ＡとコアＮＷ間でＳ１−Ｃ／Ｕコネクションが維持されている状態で、アイドル状態のＵＥが別のｅＮＢであるｅＮＢ‐Ｂの圏内に移動し、その後に、ＵＥへの着信があったとする。
【００１４】
この場合、Ｓ１−Ｃ／Ｕのコネクションは確立したままであるため、ＵＥ向けの下りデータはｅＮＢ‐Ａまで到達する。この後、ｅＮＢ‐Ａが、自身のセル内にページングを送信する制御が考え得るが、ＵＥが別ｅＮＢ‐Ｂ圏内に移動しているので、ＵＥはｅＮＢ‐Ａからのページングを受信できない。上記の場合で、従来と同様にＭＭＥからページングを行うことも考えられるが、従来技術ではＳ１−Ｃ／Ｕのコネクションを確立したままでアイドル状態のＵＥに対してＭＭＥからのページングで着信制御を行う仕組みは存在しない。ＭＭＥからページングを行うためには、図１で示したように、一旦ｅＮＢ−ＡにおけるＵＥコンテクスト解放とＳ１−Ｃ／Ｕコネクション解放を行った後に既存の方式でページングを行うことが考えられるが、その場合、シグナリング数の削減ができなくなる。
【００１５】
本発明は上記の点に鑑みてなされたものであり、基地局と通信制御装置を備える移動通信システムにおいて、シグナリング数を削減しながら、ユーザ装置への着信を適切に行うことを可能とする技術を提供することを目的とする。
【課題を解決するための手段】
【００１６】
また、本発明の実施の形態によれば、基地局と通信制御装置とを備える移動通信システムにおけるページング制御方法であって、
前記基地局と前記通信制御装置との間のコネクションが確立している状態において、当該基地局が当該通信制御装置から、ユーザ装置に対する下りデータを受信したときに、当該ユーザ装置に対するページング信号を送信する第１のページングステップと、
前記基地局が、前記ユーザ装置から前記ページング信号に対する応答が無いことを検知した場合に、前記通信制御装置に対し、当該ユーザ装置へのページング信号送信を行うように要求する要求ステップとを備えるページング制御方法が提供される。
【００１７】
また、本発明の実施の形態によれば、基地局と通信制御装置とを備える移動通信システムにおける当該基地局であって、
前記基地局と前記通信制御装置との間のコネクションが確立している状態において、当該通信制御装置から、ユーザ装置に対する下りデータを受信したときに、当該ユーザ装置に対するページング信号を送信する送信手段と、
前記ユーザ装置から前記ページング信号に対する応答が無いことを検知した場合に、前記通信制御装置に対し、当該ユーザ装置へのページング信号送信を行うように要求する制御手段とを備える基地局が提供される。
【発明の効果】
【００１８】
本発明の実施の形態によれば、基地局と通信制御装置を備える移動通信システムにおいて、シグナリング数を削減しながら、ユーザ装置への着信を適切に行うことを可能とする技術が提供される。
【図面の簡単な説明】
【００１９】
【図１】ＲＲＣアイドル状態に遷移する場合のシグナリングシーケンス例を示す図である。
【図２】課題を説明するための図である。
【図３】課題を説明するための図である。
【図４】本発明の実施の形態に係る通信システムの構成図である。
【図５】第１の実施の形態におけるシーケンス例を示す図である。
【図６】第１の実施の形態におけるシーケンス例を示す図である。
【図７】第１の実施の形態におけるシーケンス例を示す図である。
【図８】第２の実施の形態におけるシーケンス例を示す図である。
【図９】基地局の構成図である。
【図１０】基地局のＨＷ構成図である。
【図１１】ＭＭＥとＳ−ＧＷの構成図である。
【図１２】ＭＭＥのＨＷ構成図である。
【図１３】基地局の動作例１を示すフローチャートである。
【図１４】基地局の動作例２を示すフローチャートである。
【図１５】ＭＭＥ・Ｓ−ＧＷの動作例を示すフローチャートである。
【発明を実施するための形態】
【００２０】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態では、ＬＴＥのシステムを対象としているが、本発明はＬＴＥに限らずに適用可能である。また、本明細書及び特許請求の範囲では、特に断らない限り、「ＬＴＥ」の用語は３ＧＰＰの特定のＲｅｌに限定されない。
【００２１】
（システム全体構成）
図４は、本発明の実施の形態における通信システムの構成例を示す図である。図４に示すように、本実施の形態の通信システムは、ｅＮＢ１０、ｅＮＢ２０、ＭＭＥ３０、Ｓ−ＧＷ（Ｓｅｒｖｉｎｇ  Ｇａｔｅｗａｙ）４０、ＵＥ５０を含む。なお、図４は、コアネットワーク（ＥＰＣ）に関して、本実施の形態に関連する部分のみを示している。
【００２２】
ＵＥ５０は携帯電話機等のユーザ装置である。ｅＮＢ１０、２０はそれぞれ基地局である。ＭＭＥ３０は、ｅＮＢを収容し、位置登録、ページング、ハンドオーバ等のモビリティ制御、ベアラ確立／削除等を行うノード装置である。Ｓ−ＧＷ４０は、ユーザデータ（Ｕ−Ｐｌａｎｅデータ）の中継を行うノード装置である。なお、ＭＭＥ３０とＳ−ＧＷ４０からなるシステムを通信制御装置と呼ぶ。また、ＭＭＥ３０とＳ−ＧＷ４０を１つの装置で構成し、それを通信制御装置と呼ぶこととしてもよい。
【００２３】
図４に示すように、ＭＭＥ３０とｅＮＢ１０、２０間はＳ１−ＭＭＥインターフェースで接続され、Ｓ−ＧＷ４０とｅＮＢ１０、２０間はＳ１−Ｕインターフェースで接続される。点線の接続線は制御信号インターフェースを示し、実線の接続線はユーザデータ転送のインターフェースを示す。
【００２４】
本実施の形態では、前述したように、ＵＥ５０が同一ｅＮＢ内でＲＲＣ接続状態からＲＲＣアイドル状態に遷移する場合でも、当該ｅＮＢにおいてＵＥ５０のＵＥコンテクストが保持され、当該ＵＥ５０に係るＳ１−Ｃ／Ｕコネクションが維持される方式を前提とする。前述したように、この方式は、シグナリング数削減を可能とする方式である。
【００２５】
以下では、ＲＲＣアイドル状態に遷移したＵＥ５０が、ＵＥコンテクストを保持するｅＮＢ１０の圏内から他のｅＮＢ２０の圏内に移動した場合でも、適切に着信を受けることを可能とする技術として、第１の実施の形態と第２の実施の形態を説明する。
【００２６】
（第１の実施の形態）
まず、第１の実施の形態を説明する。第１の実施の形態では、ＲＲＣアイドル状態のＵＥ５０に対する着信がある場合に、ＭＭＥ３０からページングを行う方式について説明する。
【００２７】
＜同一ｅＮＢ在圏時の着信＞
ＵＥ５０がｅＮＢ１０に接続してＲＲＣ接続状態となり、ｅＮＢ１０の配下のセルでＲＲＣアイドル状態となり、その後に着信を受ける場合の処理シーケンスを図５を参照して説明する。
【００２８】
図５の処理の前提として、ＵＥ５０はｅＮＢ１０のセルにおいてＲＲＣ接続状態にあり、ＵＥ５０に関するＳ１−Ｃ／Ｕのコネクションが確立されている状態とする。図５において、Ｓ１−Ｃコネクションは、ｅＮＢ１０とＭＭＥ３０との間のコネクションとＭＭＥ３０とＳ−ＧＷ４０間のコネクションを含み、Ｓ１−Ｕコネクションは、ｅＮＢ１０とＳ−ＧＷ４０間のコネクションを含む。コネクションが確立されている場合、コネクション確立信号等のコネクションセットアップのための手順を実行することなく、該当ノード装置間でＵＥ５０に係る信号（データ）を送受信できる。
【００２９】
図５の手順の説明に入る前に、ＵＥ５０が最初にｅＮＢ１０に接続する際の手順の一例の概要を説明しておく。ＵＥ５０のランダムアクセス時に、ｅＮＢ１０は、ＲＲＣ  Ｃｏｎｎｅｃｔｉｏｎ  ＳｅｔｕｐをＵＥ５０に送信し、ＵＥ５０をＲＲＣ接続状態とし、ＵＥ５０からＲＲＣ  Ｃｏｎｎｅｃｔｉｏｎ  Ｓｅｔｕｐ  Ｃｏｍｐｌｅｔｅを受信する。その後、ｅＮＢ１０は、ＭＭＥ３０からＩｎｉｔｉａｌ  Ｃｏｎｔｅｘｔ  Ｓｅｔｕｐ  Ｒｅｑｕｅｓｔを受信し、ＵＥ５０に対してＲＲＣ  Ｃｏｎｎｅｃｔｉｏｎ  Ｒｅｃｏｎｆｉｇｕｒａｔｉｏｎを送信し、ＵＥ５０からＲＲＣ  Ｃｏｎｎｅｃｔｉｏｎ  Ｒｅｃｏｎｆｉｇｕｒａｔｉｏｎ  Ｃｏｍｐｌｅｔｅを受信し、ＭＭＥ３０に対して  Ｉｎｉｔｉａｌ  Ｃｏｎｔｅｘｔ  Ｓｅｔｕｐ  Ｒｅｓｐｏｎｓｅを送信する。このような手順を経て、ＵＥコンテクストの保持、Ｓ１−Ｃ／Ｕのコネクション確立等がなされる。
【００３０】
図５に示すように、ＲＲＣ接続状態において、ｅＮＢ１０はＭＭＥ３０に対してコネクション維持指示信号を送信する（ステップ１０１）。また、ＭＭＥ３０はコネクション維持指示信号をＳ−ＧＷ４０に送信する（ステップ１０２）。
【００３１】
コネクション維持指示信号は、当該ＵＥ５０に関するＳ１−Ｃ／Ｕコネクションを維持しながら、ＵＥ５０への着信時に下りデータをＳ−ＧＷ４０に保留して、ＭＭＥ３０からページングを行うことを指示する信号である。
【００３２】
コネクション維持指示信号を受信したＳ−ＧＷ４０は、指示を確認したことを示す確認応答をＭＭＥ３０に送信し（ステップ１０３）、ＭＭＥ３０は、確認応答をｅＮＢ１０に送信する（ステップ１０４）。
【００３３】
ＵＥ５０に関するｅＮＢ１０からＭＭＥ３０へのコネクション維持指示信号の送信は、例えば、ｅＮＢ１０において、ＵＥ５０をＲＲＣアイドル状態に遷移させる事象が発生したことをトリガーとして行ってもよいし、ＵＥ５０が最初にｅＮＢ１０の配下でＲＲＣ接続状態になり、当該ＵＥ５０に関するＳ１−Ｃ／Ｕコネクションが確立された直後に行うこととしてもよい。
【００３４】
上記のＲＲＣアイドル状態に遷移させる事象とは、例えば、所定のタイマ（例：ＵＥ  Ｉｎａｃｔｉｖｉｔｙ  Ｔｉｍｅｒ）の満了によって、ＵＥ５０との通信（上り下りのユーザデータ通信）が一定時間発生しないことを検知した場合であるが、これに限られるわけではない。
【００３５】
図５は、ＵＥ５０との通信（上り下りのユーザデータ通信）が一定時間発生しないことを検知したことをトリガーとする場合を想定しており、ステップ１０１〜１０４の後に、ＲＲＣ接続解放（ＲＲＣ  Ｃｏｎｎｅｃｔｉｏｎ  Ｒｅｌｅａｓｅ）をＵＥ５０に送信し、ＵＥ５０をＲＲＣアイドル状態に遷移させる（ステップ１０５）。
【００３６】
その後、ＵＥ５０向けの下りデータが発生し、当該下りデータがＳ−ＧＷ４０に到着する（ステップ１０６）。ここでは、Ｓ１−Ｕコネクションは確立済みであるが、ステップ１０２で受信したコネクション維持指示信号に基づき、Ｓ−ＧＷ４０は、当該下りデータをｅＮＢ１０に転送せずにバッファに保留しておく。
【００３７】
Ｓ−ＧＷ４０は、下りデータ着信通知をＭＭＥ３０に送信し（ステップ１０７）、ＭＭＥ３０はＵＥ５０向けのＳ１−ＡＰページングの信号をｅＮＢ１０に送信する（ステップ１０８）。このページング自体は、既存のページングと同様であり、ＵＥ５０のトラッキングエリアの各ｅＮＢに送信されるが、図５ではｅＮＢ１０への送信を示している。
【００３８】
Ｓ１−ＡＰページングの信号を受信したｅＮＢ１０は、配下のＵＥ５０にＲＲＣページングの信号を送信する（ステップ１０９）。
【００３９】
ＲＲＣページング信号を受信したＵＥ５０は、ＲＲＣ接続（ｃｏｎｎｅｃｔｉｏｎ）確立手順を実行し、ＲＲＣ接続が確立した（ステップ１１０）後に、ＲＲＣ接続の確立が完了したことを示す信号であるＲＲＣ接続確立完了をＭＭＥ３０に送信する（ステップ１１１）。なお、ｅＮＢ１０は、ＵＥ５０とのＲＲＣ接続が確立したことを、例えば、ｅＮＢ１０がＵＥ５０からＲＲＣ  Ｃｏｎｎｅｃｔｉｏｎ  Ｓｅｔｕｐ  Ｃｏｍｐｌｅｔｅを受信したことで判別できる。ただし、これは例であり、他の信号で判別してもよい。
【００４０】
ＭＭＥ３０はＲＲＣ接続確立完了の信号をＳ−ＧＷ４０に送信する（ステップ１１２）。これにより、Ｓ−ＧＷ４０はＵＥ５０とｅＮＢ１０間のＲＲＣ接続が確立したと判断し、既に確立されているＵＥ５０に係るＳ１−Ｕコネクションを利用して、保留していた下りデータのｅＮＢ１０への転送を開始する（ステップ１１３）。当該下りデータはｅＮＢ１０からＵＥ５０に届く（ステップ１１４）。このようにしてＵＥ５０への下りデータの伝送が開始される。
【００４１】
図６は、処理シーケンスの他の例を示す図である。図６は、図５の場合と同じように、ＵＥ５０がｅＮＢ１０に接続してＲＲＣ接続状態となり、ｅＮＢ１０の配下のセルでＲＲＣアイドル状態となり、同一セルで、その後に着信を受ける場合の処理シーケンスである。ただし、図６に示すシーケンスは、ステップ１１３、ステップ１１４のシーケンスが存在する点で、図５と異なる。以下、主に、図５と異なる点について説明する。
【００４２】
本例では、ステップ１０５のＲＲＣ接続解放手順により、ＵＥ５０とｅＮＢ１０のそれぞれに、ＲＲＣ接続時に使用していたＵＥコンテクスが保持される。ステップ１１０の手順により、ＵＥ５０は、ＲＲＣアイドル状態からＲＲＣ接続状態になる。このとき、ＵＥ５０とｅＮＢ１０に保持されているＵＥコンテクストは、それぞれ、非アクティブ状態からアクティブ状態になる。つまり、ステップ１１０の手順により、ＵＥ５０とｅＮＢ１０に保持されているＵＥコンテクストは、それぞれ、アクティベートされる。
【００４３】
ステップ１１１において、ｅＮＢ１０は、ＲＲＣ接続の確立が完了したことを示す信号であるＲＲＣ接続確立完了をＭＭＥ３０に送信する。このＲＲＣ接続確立完了の信号は、ＵＥ５０のＵＥコンテクストがアクティベートされたことを示す信号であってもよい。ＭＭＥ３０はＲＲＣ接続確立完了の信号をＳ−ＧＷ４０に送信する（ステップ１１２）。
【００４４】
そして、図６に示す例では、ステップ１１３において、Ｓ−ＧＷ４０は、ＲＲＣ接続確立完了の信号に対する応答の信号をＭＭＥ３０に送信する。また、ステップ１１４において、ＭＭＥ３０は、ステップ１１１のＲＲＣ接続確立完了の信号に対する応答の信号をｅＮＢ１０に送信する。ステップ１１４における応答の信号は、ＵＥコンテクストがアクティベートされたことを示す信号に対するＡｃｋの信号であってもよい。
【００４５】
その後、図５の場合と同様に、Ｓ−ＧＷ４０は保留していた下りデータのｅＮＢ１０への転送を開始する（ステップ１１５）。当該下りデータはｅＮＢ１０からＵＥ５０に届く（ステップ１１６）。このようにしてＵＥ５０への下りデータの伝送が開始される。
【００４６】
＜ＲＲＣアイドル状態でＵＥが別ｅＮＢに移動した場合の着信＞
次に、ＵＥ５０がｅＮＢ１０に接続してＲＲＣ接続状態となり、ｅＮＢ１０の配下のセルでＲＲＣアイドル状態となり、その後に、ＵＥ５０がｅＮＢ２０の配下のセルに移動して、着信を受ける場合の処理シーケンスを図７を参照して説明する。
【００４７】
図７の場合も、処理の前提として、ＵＥ５０はｅＮＢ１０のセルにおいてＲＲＣ接続状態にあり、Ｓ１−Ｃ／Ｕのコネクションが確立されている状態とする。
【００４８】
図５の場合と同様にして、ｅＮＢ１０はＭＭＥ３０に対してコネクション維持指示信号を送信する（ステップ２０１）。また、ＭＭＥ３０はコネクション維持指示信号をＳ−ＧＷ４０に送信する（ステップ２０２）。
【００４９】
前述したとおり、コネクション維持指示信号は、当該ＵＥ５０に関するＳ１−Ｃ／Ｕコネクションを維持しながら、ＵＥ５０への着信時に下りデータをＳ−ＧＷ４０に保留して、ＭＭＥ３０からページングを行うことを指示する信号である。
【００５０】
コネクション維持指示信号を受信したＳ−ＧＷ４０は、確認応答をＭＭＥ３０に送信し（ステップ２０３）、ＭＭＥ３０は、確認応答をｅＮＢ１０に送信する（ステップ２０４）。
【００５１】
ｅＮＢ１０は、ステップ２０１〜２０４の後に、ＲＲＣ接続解放（ＲＲＣ  Ｃｏｎｎｅｃｔｉｏｎ  Ｒｅｌｅａｓｅ）をＵＥ５０に送信し、ＵＥ５０をＲＲＣアイドル状態に遷移させる（ステップ２０５）。この後に、ＵＥ５０はｅＮＢ２０配下のセルに移動する。
【００５２】
その後、ＵＥ５０向けの下りデータが発生し、当該下りデータがＳ−ＧＷ４０に到着する（ステップ２０６）。ここでは、Ｓ１−Ｕコネクションは確立済みであるが、ステップ２０２で受信したコネクション維持指示信号に基づき、Ｓ−ＧＷ４０は、当該下りデータをｅＮＢ１０に転送せずにバッファに保留しておく。
【００５３】
Ｓ−ＧＷ４０は、下りデータ着信通知をＭＭＥ３０に送信し（ステップ２０７）、ＭＭＥ３０はＵＥ５０向けのＳ１−ＡＰページングの信号をｅＮＢ２０に送信する（ステップ２０８）。このページング自体は、既存のページングと同様であり、ＵＥ５０のトラッキングエリアの各ｅＮＢ（１つ又は複数のｅＮＢのそれぞれ）に送信されるが、図７ではｅＮＢ２０への送信を示している。
【００５４】
Ｓ１−ＡＰページングの信号を受信したｅＮＢ２０は、配下のＵＥ５０にＲＲＣページングの信号を送信する（ステップ２０９）。
【００５５】
ＲＲＣページングを受信したＵＥ５０は、ＲＲＣ接続確立手順を実行し、ＲＲＣ接続を確立させる（ステップ２１０）。また、ｅＮＢ２０とコアＮＷ側（図７ではＳ−ＧＷ４０）との間でＮＡＳ接続手順が実行され、ｅＮＢ２０についてのＳ１−Ｃ／Ｕコネクションが確立される（ステップ２１１）。
【００５６】
上記により、ＵＥ５０とＳ−ＧＷ４０とのコネクションが確立されるため、Ｓ−ＧＷ４０は、ＵＥ５０への下りデータの送信を開始する（ステップ２１２、Ｓ２１３）。また、ｅＮＢ１０とＭＭＥ３０間でのＵＥコンテクストが解放されるとともに、ｅＮＢ１０についてのＳ１−Ｃ／Ｕコネクションが解放される（ステップ２１４）。
【００５７】
（第２の実施の形態）
次に、第２の実施の形態を説明する。第２の実施の形態では、ＲＲＣアイドル状態のＵＥ５０に対する着信がある場合に、ｅＮＢからページングを行う方式について説明する。
【００５８】
ここでは、ＵＥ５０がｅＮＢ１０に接続してＲＲＣ接続状態となり、ｅＮＢ１０の配下のセルでＲＲＣアイドル状態となり、その後に、ＵＥ５０がｅＮＢ２０の配下のセルに移動して、着信を受ける場合の処理シーケンスを図８を参照して説明する。
【００５９】
図８の場合も、処理の前提として、ＵＥ５０はｅＮＢ１０のセルにおいてＲＲＣ接続状態にあり、ＵＥ５０に関するＳ１−Ｃ／Ｕコネクションが確立されている状態とする。
【００６０】
例えば、ＵＥ５０における一定時間のデータ通信無し等の事象が発生したときに、ｅＮＢ１０は、ＲＲＣ接続解放（ＲＲＣ  Ｃｏｎｎｅｃｔｉｏｎ  Ｒｅｌｅａｓｅ）をＵＥ５０に送信し、ＵＥ５０をＲＲＣアイドル状態に遷移させる（ステップ３０１）。この後に、ＵＥ５０はｅＮＢ２０配下のセルに移動する。
【００６１】
その後、ＵＥ５０向けの下りデータが発生する。当該下りデータは、既に確立されているＳ１−ＵコネクションによりｅＮＢ１０まで転送される（ステップ３０２）。ｅＮＢ１０は、当該下りデータの到着により、ＵＥ５０宛ての着信があったことを検知し、ＲＲＣページングの信号をＵＥ５０向けに送信する（ステップ３０３）。
【００６２】
しかし、ＵＥ５０はｅＮＢ１０のセルの圏外にあるため、ＵＥ５０は当該ページングの信号を受信しない。例えば、ｅＮＢ１０は、ＲＲＣページングの信号をＵＥ５０宛てに送信してから、所定のタイマが満了したことでもって、所定時間が経過したことを検知すると、ＵＥ５０からの応答が無いと判断する（ステップ３０４）。
【００６３】
ｅＮＢ１０は、ＵＥ５０からの応答が無いと判断すると、当該ＵＥ５０へのページングを要求する信号であるページング要求をＭＭＥ３０に送信する（ステップ３０５）。ページング要求を受信したＭＭＥ３０は、ＵＥ５０に対するＳ１−ＡＰページングの信号をｅＮＢ２０に送信する（ステップ３０６）。このページング自体は、既存のページングと同様であり、ＵＥ５０のトラッキングエリアの各ｅＮＢ（１つ又は複数のｅＮＢのそれぞれ）に送信されるが、図８ではｅＮＢ２０への送信を示している。
【００６４】
Ｓ１−ＡＰページングの信号を受信したｅＮＢ２０は、配下のＵＥ５０にＲＲＣページングの信号を送信する（ステップ３０７）。
【００６５】
ＲＲＣページングを受信したＵＥ５０は、ＲＲＣ接続確立手順を実行し、ＲＲＣ接続を確立させる（ステップ３０８）。また、ｅＮＢ２０とコアＮＷ側（図８ではＳ−ＧＷ４０）との間でＮＡＳ接続手順が実行され、ＵＥ５０に関するｅＮＢ２０についてのｅＮＢ２０とコアＮＷ間のＳ１−Ｃ／Ｕコネクションが確立される（ステップ３０９）。
【００６６】
上記により、ｅＮＢ２０を経由したＵＥ５０とＳ−ＧＷ４０との間のコネクションが確立されるため、Ｓ−ＧＷ４０は、当該コネクションを利用したＵＥ５０への下りデータの送信を開始する（ステップ３１０、Ｓ３１１）。また、ｅＮＢ１０とＭＭＥ３０間でのＵＥコンテクストが解放されるとともに、ｅＮＢ１０についてのＳ１−Ｃ／Ｕコネクションが解放される（ステップ３１２）。
【００６７】
第１、第２の実施の形態の技術により、同一ｅＮＢに限定してＵＥコンテクストを保持してシグナリング削減を行う仕組みを導入した場合において、ＵＥがＵＥコンテクストを保持したｅＮＢと異なるｅＮＢに移動しても着信を行うことができるようになる。
【００６８】
（装置構成例）
次に、本発明の実施の形態におけるｅＮＢ１０（ｅＮＢ２０と同じ構成）、ＭＭＥ３０、Ｓ−ＧＷ４０の構成例を説明する。構成図としては、第１の実施の形態と第２の実施の形態で共通である。以下で説明する各装置の構成は、発明の実施の形態に特に関連する機能部のみを示すものであり、少なくともＬＴＥ（ＥＰＣを含む意味のＬＴＥ）に準拠した通信システムにおける装置として動作するための図示しない機能も有するものである。また、各図に示す機能構成は一例に過ぎない。本実施の形態に係る動作を実行できるのであれば、機能区分や機能部の名称はどのようなものでもよい。例えば、以下では、通信部（送信部／受信部）と制御部とを分けているが、これらが一体の機能部であってもよい。
【００６９】
＜ｅＮＢの構成例＞
まず、ｅＮＢ１０の構成を図９を参照して説明する。図９に示すように、ｅＮＢ１０は、無線通信部１１、ＮＷ通信部１２、及び通信制御部１３を含む。
【００７０】
無線通信部１１は、ＵＥとの間の通信を行う機能部であり、物理レイヤ、レイヤ２（ＭＡＣ、ＲＬＣ、ＰＤＣＰ等）、及びレイヤ３（ＲＲＣ等）の制御信号及びデータの通信を行う機能を有する。無線通信部１１は、ＵＥコンテクストを保持する機能も含む。
【００７１】
ＮＷ通信部１２は、Ｓ１−ＭＭＥインターフェースでＭＭＥとの間で制御信号を送受信する機能、及び、Ｓ１−ＵインターフェースでＳ−ＧＷとの間でデータを送受信する機能等を含む。
【００７２】
第１の実施の形態において、通信制御部１３は、コネクション維持指示信号の送信をＮＷ通信部１２に指示する機能、ＲＲＣ接続確立完了の送信をＮＷ通信部１２に指示する機能等を含む。また、ＮＷ通信部１２は、図６のステップ１１４の応答信号を受信する。また、第２の実施の形態において、通信制御部１３は、ＲＲＣページングに対するＵＥからの応答が無いことを検知したときに、ページング要求の送信をＮＷ通信部１２に指示する機能等を含む。
【００７３】
ｅＮＢ１０は、第１の実施の形態で説明した機能と、第２の実施の形態で説明した機能のうちのいずれかを備えることとしてもよいし、両方を備えることとしてもよい。
【００７４】
図９に示す基地局１０の構成は、全体をハードウェア回路（例：１つ又は複数のＩＣチップ）で実現してもよいし、一部をハードウェア回路で構成し、その他の部分をＣＰＵとプログラムとで実現してもよい。
【００７５】
図１０は、基地局１０のハードウェア（ＨＷ）構成の例を示す図である。図１０は、図９よりも実装例に近い構成を示している。図１０に示すように、基地局１０は、無線信号に関する処理を行うＲＥモジュール１０１と、ベースバンド信号処理を行うＢＢ処理モジュール１０２と、上位レイヤ等の処理を行う装置制御モジュール１０３と、ネットワークと接続するためのインタフェースである通信ＩＦ１０４とを有する。
【００７６】
ＲＥモジュール１０１は、ＢＢ処理モジュール１０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール１０２に渡す。ＲＥモジュール１０１は、例えば、図９の無線通信部１１における物理レイヤの機能を含む。
【００７７】
ＢＢ処理モジュール１０２は、ＩＰパケットとデジタルベースバンド信号とを相互に変換する処理を行う。ＤＳＰ１１２は、ＢＢ処理モジュール２５２における信号処理を行うプロセッサである。メモリ１２２は、ＤＳＰ１１２のワークエリアとして使用される。ＢＢ処理モジュール１０２は、例えば、図９の無線通信部１１におけるレイヤ２等の機能、ＲＲＣ処理部２０３及び通信制御部１３を含む。なお、通信制御部１３の機能の全部又は一部を装置制御モジュール１０３に含めることとしてもよい。
【００７８】
装置制御モジュール１０３は、ＩＰレイヤのプロトコル処理、ＯＡＭ処理等を行う。プロセッサ１１３は、装置制御モジュール１０３が行う処理を行うプロセッサである。メモリ１２３は、プロセッサ１１３のワークエリアとして使用される。補助記憶装置１３３は、例えばＨＤＤ等であり、基地局１０自身が動作するための各種設定情報等が格納される。通信ＩＤ１０４は、図９のＮＷ通信部１２に相当する。
【００７９】
＜ＭＭＥ、Ｓ−ＧＷの構成例＞
次に、図１１を参照して、ＭＭＥ３０とＳ−ＧＷ４０の構成例を説明する。図１１に示すように、ＭＭＥ３０は、ｅＮＢ通信部３１、ＳＧＷ通信部３２、通信制御部３３を含む。
【００８０】
ｅＮＢ通信部３１は、ｅＮＢとの間でＳ１−ＭＭＥインターフェースによる制御信号の送受信を行う機能を含む。ＳＧＷ通信部３２は、Ｓ−ＧＷとの間でＳ１１インターフェースによる制御信号の送受信を行う機能を含む。
【００８１】
第１の実施の形態において、通信制御部３３は、ｅＮＢからコネクション維持指示信号を受信した場合に、当該コネクション維持指示信号をＳ−ＧＷに送信するようＳＧＷ通信部３２に指示するとともに、Ｓ−ＧＷから確認応答を受信した場合に、当該確認応答をｅＮＢに送信するようＳＧＷ通信部３２に指示する機能を含む。また、ＳＧＷ通信部３２は、図６のステップ１１３の応答信号を受信し、ｅＮＢ通信部は、図６のステップ１１４の応答信号を送信する。また、第２の実施の形態において、通信制御部３３は、ｅＮＢからＵＥへのページング要求を受信したときに、当該ＵＥへのＳ１−ＡＰページング送信をｅＮＢ通信部３１に指示する機能を含む。
【００８２】
ＭＭＥ３０は、第１の実施の形態で説明した機能と、第２の実施の形態で説明した機能のうちのいずれかを備えることとしてもよいし、両方を備えることとしてもよい。
【００８３】
図１０に示すように、Ｓ−ＧＷ４０は、ｅＮＢ通信部４１、ＭＭＥ通信部４２、ＮＷ通信部４３、通信制御部４４を含む。
【００８４】
ｅＮＢ通信部４１は、ｅＮＢとの間でＳ１−Ｕインターフェースによるデータの送受信を行う機能を含む。ＭＭＥ通信部４２は、Ｓ−ＧＷとの間でＳ１１インターフェースによる制御信号の送受信を行う機能を含む。ＮＷ通信部４３は、コアＮＷ側のノード装置との間で制御信号の送受信及びデータの送受信を行う機能を含む。
【００８５】
第１の実施の形態において、通信制御部４４は、ＭＭＥからコネクション維持指示信号を受信した場合に、確認応答をＭＭＥに送信するようＭＭＥ通信部４２に指示する機能を含む。また、第１の実施の形態において、通信制御部４４は、ＭＭＥからコネクション維持指示信号を受信している場合において、該当ＵＥへの下りデータを受信した場合に、当該下りデータをバッファに保留しておくようにＮＷ通信部４３に指示し、ＲＲＣ接続確立完了をｅＮＢから受信した場合に、当該下りデータを送信するようにＮＷ通信部４３に指示する機能を含む。また、ＭＭＥ通信部４２は、図６のステップ１１３の応答信号を送信する。第２の実施の形態においては、Ｓ−ＧＷ４０は既存機能を用いて実現することが可能である。
【００８６】
なお、ＭＭＥ３０とＳ−ＧＷ４０を１つの装置として構成することもできる。その場合、ＳＧＷ通信部３２とＭＭＥ通信部４２間のＳ１１インターフェースの通信は、装置内部の通信となる。
【００８７】
ＭＭＥ３０、Ｓ−ＧＷ４０、ＭＭＥ３０とＳ−ＧＷ４０を１つの装置としたものはそれぞれ、例えば、ＣＰＵとメモリを備え、プログラムがＣＰＵ（プロセッサ）により実行されることで実現されるコンピュータを用いて実現できる。
【００８８】
上記のようなコンピュータによりＭＭＥ３０を構成する場合におけるＭＭＥ３０のハードウェア構成の例を図１１に示す。なお、Ｓ−ＧＷ４０、ＭＭＥ３０とＳ−ＧＷ４０を１つの装置としたものについても同様の構成である。
【００８９】
図１１に示すように、当該ＭＭＥ３０は、ＣＰＵ３０１、ＲＡＭ（Ｒａｎｄｏｍ  Ａｃｃｅｓｓ  Ｍｅｍｏｒｙ）３０２、ＲＯＭ（Ｒｅａｄ  Ｏｎｌｙ  Ｍｅｍｏｒｙ）３０３、通信を行うための通信モジュール３０４、ハードディスク等の補助記憶装置３０５、入力装置３０６、出力装置３０７を備える。
【００９０】
ＲＡＭ３０２、ＲＯＭ３０３、補助記憶装置３０５等の記憶手段に格納されたプログラムをＣＰＵ３０１が読み出し、実行することにより、ＭＭＥ３０の各機能の動作が実行される。また、ネットワーク通信を行う処理については、通信モジュール３０４が使用される。また、入力装置３０６により、例えば、ＭＭＥ３０に対する設定情報の入力を行い、出力装置３０７により、例えば、ＭＭＥ３０の稼働状態の出力等を行うことができる。
【００９１】
（処理フロー例）
図１３を参照して、上述した構成を有する基地局の動作例１として、第１の実施の形態において、ｅＮＢ１０の配下のセルでＵＥ５０がＲＲＣアイドル状態となり、その後に着信を受ける場合（図５、図６の場合）のｅＮＢ１０の処理フローを説明する。
【００９２】
ＵＥ５０がｅＮＢ１０のセルにおいてＲＲＣ接続状態にあり、Ｓ１−Ｃ／Ｕコネクションが確立されている状態において、ｅＮＢ１０の無線通信部１１が、ＵＥ５０をＲＲＣアイドル状態にするトリガーを検知すると、通信制御部１３の指示により、ＮＷ通信部１２がコネクション維持指示信号をＭＭＥ３０に送信するとともに、ＭＭＥ３０から確認応答を受信する（ステップ４０１）。確認応答を受信すると、通信制御部１３の指示により、無線通信部１１はＲＲＣ接続解放をＵＥ５０に送信し、ＵＥ５０をＲＲＣアイドル状態にする（ステップ４０２）。
【００９３】
その後、ＮＷ通信部１２がＭＭＥ３０からＳ１−ＡＰページングの信号を受信すると、無線通信部１１はＲＲＣページングの信号をＵＥ５０に送信する（ステップ４０３）。ＵＥ５０との間でＲＲＣ接続が確立すると（ステップ４０４）、通信制御部１３の指示により、ＮＷ通信部１２は、ＲＲＣ接続確立完了の信号をＭＭＥ３０に送信する（ステップ４０５）。また、図６の場合、ＮＷ通信部１２は、ＲＲＣ接続確立完了の信号に対する応答をＭＭＥ３０から受信する。
【００９４】
次に、図１４を参照して、上述した構成を有する基地局の動作例２として、第２の実施の形態において、ＵＥ５０がｅＮＢ１０に接続してＲＲＣ接続状態となり、ｅＮＢ１０の配下のセルでＲＲＣアイドル状態となり、その後に、ＵＥ５０がｅＮＢ２０の配下のセルに移動して、着信を受ける場合（図８の場合）のｅＮＢ１０の処理フローを説明する。
【００９５】
ＵＥ５０がｅＮＢ１０のセルにおいてＲＲＣ接続状態にあり、Ｓ１−Ｃ／Ｕコネクションが確立されている状態において、ｅＮＢ１０のＮＷ通信部１２が、下りデータを受信することでＵＥ５０への着信を検知すると（ステップ５０１）、通信制御部１３の指示により、無線通信部１１がＵＥ５０に対してＲＲＣページングの信号を送信する（ステップ５０２）。
【００９６】
無線通信部１１が、ページングに対するＵＥ５０からの応答が無いことを検知する（ステップ５０３）と、通信制御部１３の指示に基づいて、ＮＷ通信部１２は、ＵＥ５０へのページング要求をＭＭＥ３０に送信する（ステップ５０４）。
【００９７】
次に、図１５を参照して、上述した構成を有するＭＭＥとＳ−ＧＷの動作例として、第１の実施の形態において、ｅＮＢ１０の配下のセルでＵＥ５０がＲＲＣアイドル状態となり、その後に着信を受ける場合（図５、図６の場合）の処理フローを説明する。
【００９８】
ｅＮＢ１０から送信されたコネクション維持指示信号をＭＭＥ３０のｅＮＢ通信部３１が受信すると、当該コネクション維持指示信号がＳＧＷ通信部３２によりＳ−ＧＷ４０に送信され、Ｓ−ＧＷ４０のＭＭＥ通信部４２が受信する（ステップ６０１）。
【００９９】
確認応答が返された後、Ｓ−ＧＷ４０のＮＷ通信部４３がＵＥ５０への下りデータを受信すると、通信制御部４４の指示に基づき、当該データをバッファに保留する（ステップ６０２）。また、下りデータ着信通知がＭＭＥ３０に送信され、ＭＭＥ３０は、ｅＮＢ通信部３１により、ＵＥ５０宛てのＳ１−ＡＰページングの信号をｅＮＢ１０に送信する（ステップ６０３）。
【０１００】
ページングに基づき、ＲＲＣ接続が確立された後、ＭＭＥ３０のｅＮＢ通信部３１は、ｅＮＢ１０からＲＲＣ接続確立完了を受信し、更に、当該ＲＲＣ接続確立完了はＳ−ＧＷ４０に転送され、ＭＭＥ通信部４２がＲＲＣ接続確立完了を受信する（ステップ６０４）。また、図６の場合、ＭＭＥ通信部４２がＲＲＣ接続確立完了に対する応答をＭＭＥ３０に送信し、ＭＭＥ３０のｅＮＢ通信部３１が、ｅＮＢ１０からのＲＲＣ接続確立完了に対する応答をｅＮＢ１０に送信する。そして、ｅＮＢ通信部４１から、ｅＮＢ１０に対し、ＵＥ５０宛ての下りデータの送信が開始される（ステップ６０５）。
【０１０１】
以上、説明したように、本実施の形態により、基地局と通信制御装置とを備える移動通信システムにおけるページング制御方法であって、前記基地局と前記通信制御装置との間のコネクションが確立している状態において、当該基地局が当該通信制御装置にコネクション維持指示信号を送信する指示ステップと、前記コネクション維持指示信号を受信した前記通信制御装置が、ユーザ装置に対する下りデータを受信した場合に、前記基地局と前記通信制御装置との間のコネクションを維持したまま、当該下りデータをバッファに保留し、前記ユーザ装置に対するページング信号を送信するページングステップとを備えるページング制御方法が提供される。
【０１０２】
この構成により、基地局と通信制御装置を備える移動通信システムにおいて、シグナリング数を削減しながら、ユーザ装置への着信を適切に行うことが可能となる。
【０１０３】
前記ページング制御方法は、前記通信制御装置が、前記ユーザ装置と前記基地局との間のコネクションが確立したことを示すコネクション確立完了信号を前記基地局から受信した場合に、前記下りデータの送信を開始するデータ送信ステップを更に備えることとしてもよい。この構成により、通信制御装置が、適切なタイミングで保留しておいた下りデータの送信を開始することができる。なお、下りデータの送信を開始するタイミングはこれに限られない。
【０１０４】
前記指示ステップにおいて、前記基地局は、前記通信制御装置に前記コネクション維持指示信号を送信し、当該通信制御装置から確認応答を受信した後に、前記基地局に接続される前記ユーザ装置をアイドル状態に遷移させることとしてもよい。この構成では、ユーザ装置をアイドル状態にする前に、コネクション維持指示信号を送信するので、アイドル状態のユーザ装置に対する下りデータが到着した場合に、下りデータの保留等の制御を適切に実施することが可能となる。
【０１０５】
また、本実施の形態により、基地局と通信制御装置とを備える移動通信システムにおけるページング制御方法であって、前記基地局と前記通信制御装置との間のコネクションが確立している状態において、当該基地局が当該通信制御装置から、ユーザ装置に対する下りデータを受信したときに、当該ユーザ装置に対するページング信号を送信する第１のページングステップと、前記基地局が、前記ユーザ装置から前記ページング信号に対する応答が無いことを検知した場合に、前記通信制御装置に対し、当該ユーザ装置へのページング信号送信を行うように要求する要求ステップとを備えるページング制御方法が提供される。
【０１０６】
この構成により、基地局と通信制御装置を備える移動通信システムにおいて、シグナリング数を削減しながら、ユーザ装置への着信を適切に行うことが可能となる。
【０１０７】
前記ページング制御方法は、前記要求ステップにより前記要求を受けた前記通信制御装置が、前記ユーザ装置が接続される基地局を含む１つ又は複数の基地局に、前記ユーザ装置に対するページング信号を送信する第２のページングステップを更に備えることとしてもよい。前記要求に対する動作の例として、上記のように第２のページングステップを実行することで、例えば、最初に接続していた基地局のセルから移動したユーザ装置への着信を適切に行うことができる。
【０１０８】
前記通信制御装置は、例えばＭＭＥとＳ−ＧＷを含むシステムとして構成することができる。これにより、ＭＭＥとＳ−ＧＷを有するＬＴＥシステムに特に適したページング制御方法を提供できる。
【０１０９】
また、本実施の形態により、基地局と通信制御装置とを備える移動通信システムにおける当該通信制御装置であって、前記基地局と前記通信制御装置との間のコネクションが確立している状態において、当該基地局からコネクション維持指示信号を受信する受信手段と、前記コネクション維持指示信号を受信した後に、ユーザ装置に対する下りデータを受信した場合に、前記基地局と前記通信制御装置との間のコネクションを維持したまま、当該下りデータをバッファに保留し、前記ユーザ装置に対するページング信号を送信する制御手段とを備える通信制御装置が提供される。
【０１１０】
この構成により、基地局と通信制御装置を備える移動通信システムにおいて、シグナリング数を削減しながら、ユーザ装置への着信を適切に行うことを可能とする技術が提供される。
【０１１１】
前記制御手段は、前記ユーザ装置と前記基地局との間のコネクションが確立したことを示すコネクション確立完了信号を前記基地局から受信した場合に、前記下りデータの送信を開始することとしてもよい。この構成により、通信制御装置が、適切なタイミングで保留しておいた下りデータの送信を開始することができる。なお、下りデータの送信を開始するタイミングはこれに限られない。
【０１１２】
また、本実施の形態により、基地局と通信制御装置とを備える移動通信システムにおける当該基地局であって、前記基地局と前記通信制御装置との間のコネクションが確立している状態において、当該通信制御装置から、ユーザ装置に対する下りデータを受信したときに、当該ユーザ装置に対するページング信号を送信する送信手段と、前記ユーザ装置から前記ページング信号に対する応答が無いことを検知した場合に、前記通信制御装置に対し、当該ユーザ装置へのページング信号送信を行うように要求する制御手段とを備える基地局が提供される。この構成により、基地局と通信制御装置を備える移動通信システムにおいて、シグナリング数を削減しながら、ユーザ装置への着信を適切に行うことを可能とする技術が提供される。なお、上記の各装置の構成における「手段」を「部」と置き換えてもよい。
【０１１３】
本実施の形態で説明したｅＮＢ、ＭＭＥ、Ｓ−ＧＷのそれぞれは、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１１４】
また、ＭＭＥの機能とＳ−ＧＷの機能を１つの装置とする場合において、当該装置は、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
（第１項）
基地局と通信制御装置とを備える移動通信システムにおけるページング制御方法であって、
前記基地局と前記通信制御装置との間のコネクションが確立している状態において、当該基地局が当該通信制御装置にコネクション維持指示信号を送信する指示ステップと、
前記コネクション維持指示信号を受信した前記通信制御装置が、ユーザ装置に対する下りデータを受信した場合に、前記基地局と前記通信制御装置との間のコネクションを維持したまま、当該下りデータをバッファに保留し、前記ユーザ装置に対するページング信号を送信するページングステップと
を備えるページング制御方法。
（第２項）
前記通信制御装置が、前記ユーザ装置と前記基地局との間のコネクションが確立したことを示すコネクション確立完了信号を前記基地局から受信した場合に、前記下りデータの送信を開始するデータ送信ステップ
を更に備える第１項に記載のページング制御方法。
（第３項）
前記指示ステップにおいて、前記基地局は、前記通信制御装置に前記コネクション維持指示信号を送信し、当該通信制御装置から確認応答を受信した後に、前記基地局に接続される前記ユーザ装置をアイドル状態に遷移させる
第１項又は第２項に記載のページング制御方法。
（第４項）
基地局と通信制御装置とを備える移動通信システムにおけるページング制御方法であって、
前記基地局と前記通信制御装置との間のコネクションが確立している状態において、当該基地局が当該通信制御装置から、ユーザ装置に対する下りデータを受信したときに、当該ユーザ装置に対するページング信号を送信する第１のページングステップと、
前記基地局が、前記ユーザ装置から前記ページング信号に対する応答が無いことを検知した場合に、前記通信制御装置に対し、当該ユーザ装置へのページング信号送信を行うように要求する要求ステップと
を備えるページング制御方法。
（第５項）
前記要求ステップにより前記要求を受けた前記通信制御装置が、前記ユーザ装置が接続される基地局を含む１つ又は複数の基地局に、前記ユーザ装置に対するページング信号を送信する第２のページングステップ
を更に備える第４項に記載のページング制御方法。
（第６項）
前記通信制御装置は、ＭＭＥとＳ−ＧＷを含む
第１項ないし第５項のうちいずれか１項に記載のページング制御方法。
（第７項）
基地局と通信制御装置とを備える移動通信システムにおける当該通信制御装置であって、
前記基地局と前記通信制御装置との間のコネクションが確立している状態において、当該基地局からコネクション維持指示信号を受信する受信手段と、
前記コネクション維持指示信号を受信した後に、ユーザ装置に対する下りデータを受信した場合に、前記基地局と前記通信制御装置との間のコネクションを維持したまま、当該下りデータをバッファに保留し、前記ユーザ装置に対するページング信号を送信する制御手段と
を備える通信制御装置。
（第８項）
前記制御手段は、前記ユーザ装置と前記基地局との間のコネクションが確立したことを示すコネクション確立完了信号を前記基地局から受信した場合に、前記下りデータの送信を開始する
第７項に記載の通信制御装置。
（第９項）
基地局と通信制御装置とを備える移動通信システムにおける当該基地局であって、
前記基地局と前記通信制御装置との間のコネクションが確立している状態において、当該通信制御装置から、ユーザ装置に対する下りデータを受信したときに、当該ユーザ装置に対するページング信号を送信する送信手段と、
前記ユーザ装置から前記ページング信号に対する応答が無いことを検知した場合に、前記通信制御装置に対し、当該ユーザ装置へのページング信号送信を行うように要求する制御手段と
を備える基地局。
【０１１５】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、各装置は機能的なブロック図を用いて説明されたが、そのような装置はハードウェアで、ソフトウェアで又はそれらの組み合わせで実現されてもよい。本発明の実施の形態に従って当該装置が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１１６】
本発明は上記実施形態に限定されず、本発明の精神から逸脱することなく、様々な変形例、修正例、代替例、置換例等が本発明に包含される。
【０１１７】
本特許出願は２０１５年１月２２日に出願した日本国特許出願第２０１５−０１０４５１号に基づきその優先権を主張するものであり、日本国特許出願第２０１５−０１０４５１号の全内容を本願に援用する。
【符号の説明】
【０１１８】
１０、２０  ｅＮＢ
３０  ＭＭＥ
４０  Ｓ−ＧＷ
５０  ＵＥ
１１  無線通信部
１２  ＮＷ通信部
１３  通信制御部
３１  ｅＮＢ通信部
３２  ＳＧＷ通信部
３３  通信制御部
４１  ｅＮＢ通信部
４２  ＭＭＥ通信部
４３  ＮＷ通信部
４４  通信制御部
１０１  ＲＥモジュール
１０２  ＢＢ処理モジュール
１０３  装置制御モジュール
１０４  通信ＩＦ
３０１  ＣＰＵ
３０２  ＲＡＭ
３０３  ＲＯＭ
３０４  通信モジュール
３０５  補助記憶装置
３０６  入力装置
３０７  出力装置
【図１】
2018078629.tif 000003
【図２】
2018078629.tif 000004
【図３】
2018078629.tif 000005
【図４】
2018078629.tif 000006
【図５】
2018078629.tif 000007
【図６】
2018078629.tif 000008
【図７】
2018078629.tif 000009
【図８】
2018078629.tif 000010
【図９】
2018078629.tif 000011
【図１０】
2018078629.tif 000012
【図１１】
2018078629.tif 000013
【図１２】
2018078629.tif 000014
【図１３】
2018078629.tif 000015
【図１４】
2018078629.tif 000016
【図１５】
2018078629.tif 000017